【手続補正書】
【提出日】平成18年8月8日(2006.8.8)
【手続補正１】
【補正対象書類名】明細書
【補正対象項目名】全文
【補正方法】変更
【補正の内容】
【書類名】  明細書
【発明の名称】  ガス絶縁開閉装置
【特許請求の範囲】
【請求項１】
接地容器内に設けられた固定接触子、該固定接触子と接離する可動接触子から構成される電流遮断手段を備えたガス絶縁開閉装置において、
前記可動接触子を駆動するための操作器の出力軸と前記可動接触子の駆動軸を接続して直線状に配置すると共に、蓄圧装置の長手方向軸を前記操作器の出力軸と平行に配置し、かつ、前記接地容器の一方端を密閉するカバー板に、前記操作器を取付ける取付金具の一端及び前記蓄圧装置の胴部を固定し、前記取付金具の他端及び蓄圧装置を前記操作器の出力軸に対して直角に配置された支持部材に固着し、この支持部材に前記操作器を固定したことを特徴とするガス絶縁開閉装置。    
【請求項２】
請求項１に記載のガス絶縁開閉装置において、
前記操作器の下部には、前記作動流体を昇圧し前記蓄圧装置に蓄圧するためのポンプユニットが配置され、該ポンプユニットは、前記支持部材に取付けられていることを特徴とするガス絶縁開閉装置。
【請求項３】
請求項１に記載のガス絶縁開閉装置において、
前記可動接触子側の支持部材には、前記操作器を制御する電流信号を遮断したり或いはガス絶縁開閉器の機械的な位置を電気的に表示するための補助スイッチが上下２段に取付けられていることを特徴とするガス絶縁開閉装置。
【請求項４】
請求項３に記載のガス絶縁開閉装置において、
前記下段の補助スイッチは、ワイヤーを介して前記ガス絶縁開閉装置の接点位置を視覚的に表示する入り切り表示器及び前記ガス絶縁開閉装置の動作回数を記録する動作カウンタに接続されていることを特徴とするガス絶縁開閉装置。
【請求項５】
請求項１に記載のガス絶縁開閉装置において、
前記操作器の出力軸と前記可動接触子の駆動軸を連結する連結金具が、前記可動接触子が遮断方向に移動しないようにロックされるロック機構を備えていることを特徴とするガス絶縁開閉装置。
【請求項６】
請求項１，２、又は３に記載のガス絶縁開閉装置において、
前記支持部材はマニホールドから成り、該マニホールド内には前記蓄圧装置から前記操作器に作動流体を供給するための管路を具備していることを特徴とするガス絶縁開閉装置。
【発明の詳細な説明】
【０００１】
【発明の属する技術分野】
本発明はガス絶縁開閉装置に係り、特に、接地容器内に設けられた固定接触子と、この固定接触子と接離する可動接触子から構成される電流遮断手段を備えたガス絶縁開閉装置に関する。
【０００２】
【従来の技術】
ガス絶縁開閉装置の一部を構成するガス遮断器は、接地容器内にＳＦ6 ガス等の電気絶縁性ガスを充填し、固定接触子と可動接触子が、通常状態においては完全に接触し、電気的な導電体となっている。
【０００３】
ガス絶縁開閉装置の電流遮断原理は、送電線及び変電機器において、地絡、短絡等の事故が発生すると、ガス遮断器の可動接触子が、接地容器の内部、又は外部に接地された主回転軸、レバー等を介し連結された操作器により開離動作され、絶縁性ガスの特性を利用して電流を遮断するものである。
【０００４】
前記構造以外に、可動接触子の移動軸と同一軸上に操作器の出力軸を配置し、可動接触子と操作器を連結して直線運動を行う連結ロッドの周囲に配置したガス気密用シールを用いて接地容器中の絶縁性ガスをシールしながら直線運動を行う構造がある。
【０００５】
前記２種類の接地容器内に収納された可動接触子を駆動するための構造における長所と短所を比較する。
【０００６】
一般に、直線運動を直接ガスシールし、接地容器の内外部間の駆動力を伝達する構造が、構造的に簡素化できる場合が多い。これは、操作器が発生する駆動力を直線的に伝達することから、多くの支持部材に対して引張り荷重のみが作用し、部品たわみの問題が生じないためである。一方、回転軸を用いた回転運動により駆動力を伝達する構造は、操作器の発生する駆動力の回転時分力を確実に受け止める必要があり、頑丈な軸受が必要で機器が大型化，重量化する傾向にある。
【０００７】
しかし、直線運動を直接ガスシールする構造を適用する場合は、回転軸を用い駆動力を伝達しながらガスシールを行う構造を適用した場合と比較して、長手方向の寸法が長尺化してしまう。また、長手方向の寸法が長尺化すると同時に、操作器の固定が片持ち支持構造となり、操作器の発生する駆動力に対して装置自体が振動し、また、片持ち支持構造であるため補強が困難である場合が多かった。
【０００８】
例えば、特開平１０−５０１８１号公報に記載されている油圧操作器は、それ自体の固定は、支持部材を介してガス遮断器に取付けられる片持ち支持構造となっており、大きな駆動力を発生させる場合には、油圧操作器自体が振動してしまい、安定した可動接触子の移動を行うことが困難であった。また、比較的大形の駆動装置及び関連部品を操作器の操作箱内部に配置する場合、油圧操作器と蓄圧装置（アキュムレータ）及びポンプユニットは、通常別置となっており、しかも、高圧配管を用いて連結する構造が一般的であり、機器の大型化，重量化が避けられない場合が多かった。
【０００９】
また、直線運動を直接ガスシールする構造を採用した油圧操作器は、油圧力の低下時や輸送時等の特殊条件において、可動接触子の位置を確実にロックしておくためのロック機構を有しているのが一般的であり、例えば特開昭６２−２３７１０２号公報には、前記ロック機構を油圧操作器の内部に設けているものが記載されている。
しかし、この特許文献では、ロック機構を油圧操作器の内部に設けているため、保守点検時に手動でガス遮断器を操作する際、ロック機構の解除を忘れた状態で手動開閉操作を行ってしまった場合には、機器が破損してしまう可能性がある。
【００１０】
【特許文献１】
特開平１０−５０１８１号公報
【特許文献２】
特開昭６２−２３７１０２号公報
【００１１】
【発明が解決しようとする課題】
上記した従来例では、油圧操作器を支持、固定する構造として片持ち支持構造を採用しており、この片持ち支持構造では、十分な剛性を確保するために、多くの補強部品及び剛性の高い支持部品を併設する必要があり、結局、全体寸法の大型化に繋がっていた。
【００１２】
本発明は上述の点に鑑みなされたもので、その目的とするところは、操作器を片持ち支持した場合であっても、多くの補強部品及び剛性の高い支持部品を併設することなく十分な剛性が確保でき、全体寸法の大型化に繋がらないガス絶縁開閉装置を提供するにある。
【００１３】
【課題を解決するための手段】
上記目的を達成するために、本発明のガス絶縁開閉装置は、接地容器内に設けられた固定接触子と接離する可動接触子を駆動するための操作器の出力軸と前記可動接触子の駆動軸を接続して直線状に配置すると共に、蓄圧装置の長手方向軸を前記操作器の出力軸と平行に配置し、かつ、前記接地容器の一方端を密閉するカバー板に、前記操作器を取付ける取付金具の一端及び前記蓄圧装置の胴部を固定し、前記取付金具の他端及び蓄圧装置を前記操作器の出力軸に対して直角に配置された支持部材に固着し、この支持部材に前記操作器を固定したことを特徴とする。
【００１４】
【発明の実施の形態】
以下、本発明のガス絶縁開閉装置の実施例を図面に基づいて説明する。
【００１５】
図１は、本発明のガス絶縁開閉装置の一実施例を示すものである。該図において、絶縁特性の優れたＳＦ6 ガスが充填された接地容器１０１の内部に、固定接触子ユニット102と可動接触子ユニット１０３が収納され、他のガス絶縁開閉装置又は母線と主回路導体
１０４及び１０５により電気的に接続されている。
【００１６】
図２に示した可動接触子１０６は、駆動軸として絶縁操作ロッド１０７，直線シールロッド１０８及び連結金具１０９を介して油圧操作器１１０の出力軸１１１とピンジョイントされ接続されている。前記固定接触子ユニット１０２及び可動接触子ユニット１０３の接点は、油圧操作器１１０の出力軸１１１が右方向に移動することで遮断状態となり、左方向に移動することで投入状態となる。
【００１７】
油圧操作器１１０は、接地容器１０１内部のガスを閉止するためのカバー板１１２の上部位置に取付金具１１３を介して固定されている。また、接地容器１０１の底部に配置された蓄圧源であるアキュムレータ１１４が、油圧操作器１１０へ高圧作動油を供給するための管路１１５を有する支持部材であるマニホールド１１６に差込まれ、ボルト締結されている。アキュムレータ１１４は、接地容器１０１の底部に設けられたアキュムレータ固定金具１１７及びカバー板１１２にボルト締結されるアキュムレータ固定金具１１８により接地容器１０１に確実に取付けられている。
【００１８】
このような構成を有することにより、接地容器１０１の上部で固定する取付金具１１３及び接地容器１０１の底部で固定されるアキュムレータ１１４で支持されるマニホールド１１６により、油圧操作器１１０は確実に支持固定され、また、マニホールド１１６を油圧操作器１１０の出力軸１１１に対して直角に配置して固定したことにより、出力軸111が動く時に発生する直線的な振動を極力低減することを実現している。
【００１９】
図３は、ガス絶縁開閉装置用の油圧操作器ユニットとして必要不可欠な補助機器類を装備した接地容器１０１に取付ける前の状態を示したものである。
【００２０】
該図に示す如く、ガス絶縁開閉装置用の油圧操作器ユニットとしては、駆動力を発生する油圧操作器１１０及びその出力軸１１１以外にも、作動油を高圧に昇圧しアキュムレータ１１４に蓄圧するためのポンプユニット２０１、油圧操作器１１０を制御する電流信号を遮断したり、ガス絶縁開閉装置の機械的な位置を電気的に表示するための補助スイッチ２０２，２０３，油圧を降圧した際に可動接触子１０６が移動しないように鎖掟するロック機構２７０のユニット、また、図５に示すように、ガス絶縁開閉装置の接点位置を視覚的に表示するための入り切り表示器３０４、ガス絶縁開閉装置の動作回数を記録する動作カウンタ３０５が装備されている。また、ポンプユニット２０１には、油圧ポンプ２０５，電動機２０６，油圧ゲージ２０７，圧力開閉スイッチ２０８，安全弁２０９が装備されている。
【００２１】
前記ポンプユニット２０１は、油圧操作器１１０への高圧作動油を供給するための管路１１５を有するマニホールド１１６に取付金具２１０を介して取付けられており、ポンプユニット２０１の下には油圧操作器１１０の動作時に振動による機器の破損、振動伝達抑制のための防振ゴム２１１が取付けられている。ポンプユニット２０１と油圧操作器110との連結には、小径の高圧用配管２１２及び低圧用配管２１３が適用されており、油圧操作器１１０とポンプユニット２０１の振動位相のずれを吸収可能な構成としている。また、ポンプユニット２０１が、油圧操作器１１０の下部に配置されているので、ガス絶縁開閉装置全体の長手方向の寸法が短くなり、かつ、取付金具１１３及びアキュムレータ114で支持されたマニホールド１１６に取付けることでポンプユニット２０１を強固に固定することを実現している。
【００２２】
補助スイッチ２０２，２０３は、上下２段の配置となっており、上段の補助スイッチ
２０３の回転軸に取付けられたレバー２５４とリンク２５５及び下段の補助スイッチ202の回転軸に取付けられたレバー２５６によって駆動力が伝達される。この補助スイッチ
２０２，２０３もポンプユニット２０１と同様に、マニホールド１１６に取付けられ、油圧操作器１１０の出力軸１１１の先端にねじ込まれナット１１１ａで固定された連結金具１０９部のジョイントピン２５１からレバー２５２を介して、上段の補助スイッチ２０２と連結している。
【００２３】
図５は油圧操作器ユニットを下方から見た図であり、この図では、入り切り表示器304及び動作カウンタ３０５が付加された状態を示している。
【００２４】
図５に示すように、下段の補助スイッチ２０２の回転軸は、反リンク連結側にも出張っており、ここにレバー３０２が取付けられ、このレバー３０２にワイヤー３０３を接続して、このワイヤー３０３を動作カウンタ３０５に設けられたレバーと接続することで、ガス絶縁開閉装置の接点位置を視覚的に表示するための入り切り表示器３０４及び動作カウンタ３０５を駆動している。
【００２５】
このように補助スイッチ２０２，２０３を、マニホールド１１６の可動接触子１０６側に固定したことにより、出力軸１１１が動くための空間を有効に利用して、油圧操作器ユニットの長手方向をなるべく短くすると共に、ガス絶縁開閉装置全体の長さをコンパクトにすることを実現している。
【００２６】
また、図３に示すロック機構２７０は、マニホールド１１６と高圧配管２７１により油圧的に連結されている。高圧配管２７１の両端には、高圧の継手２７２，２７３が取付けられており、マニホールド１１６側に取付けられた継手２７３は、取付け部を機械的にゆるめることなく回転が可能な図６の構造を有している。
【００２７】
図７にロック機構の詳細構造を示す。このロック機構は、操作油圧を開放したり、トラブルにより降圧した時、可動接触子１０６が遮断方向に移動しないように自動的に動作をロックするための機構である。
【００２８】
ロック機構２７０のユニットは油圧で動作し、通常の運転状態である加圧条件において、ロック機構ピストン５０１に作用する油圧力は、皿ばね５０２によって発生する荷重よりも大きいため、ロック機構ピストン５０１は上方に移動している。何らかの異常が発生して油圧系の圧力が低下し、ばね力よりも油圧力が小さくなった場合、ロック機構ピストン５０１は下方に移動し連結金具１０９をロックする。
【００２９】
また、本実施例では、従来技術で説明したガス絶縁開閉装置の操作器内部にロック機構を内蔵した構造とは異なり、ロック機構２７０を操作器の外部に設置することで、ロック機構２７０を取外した状態でないと保守点検用の作業工具が取付けできない構造としている。
【００３０】
この保守点検用の作業工具とは、図７に示す如く、連結金具１０９にねじ込んで接続される工具であり、定期点検等においてガス絶縁開閉装置を手動操作でゆっくりと動作させるための専用工具である。
【００３１】
この工具を取付ける際には、ロック機構２７０を取外さないと、機構上保守点検用作業工具と連結金具１０９が連結できないため、ロック機構２７０を容易に取外し可能な構造としている。ロック機構２７０の取外し時は、取付けボルト５０３を取外し、ロック機構２７０のユニットをマニホールド側継手２７３を回転中心として３６０°程回転させ、備え付けの専用一時設置台の上に置いておく。これによって、ロック機構２７０の解除を忘れることなく、手動操作を行うことが可能であり、機器の破損等の心配はなくなる。
【００３２】
また、補助スイッチ２０２，２０３と同様にロック機構２７０についても、出力軸111又は絶縁操作ロッド１０７，可動接触子１０６の駆動軸が動くための空間を利用して、油圧操作器ユニットの長手方向をなるべく短くすると共に、ガス絶縁開閉装置全体をコンパクトにしている。      
【００３３】
【発明の効果】
以上説明した本発明のガス絶縁開閉装置によれば、操作器を片持ち支持した場合であっても、多くの補強部品及び剛性の高い支持部品を併設することなく十分な剛性が確保でき、全体寸法の大型化に繋がらない効果が得られる。
【図面の簡単な説明】
【図１】
本発明の一実施例であるガス絶縁開閉装置を構成するガス遮断器を示す断面図である。
【図２】
図１に示したガス遮断器に用いられる可動接触子の図である。
【図３】
図１に示したガス遮断器に用いられる油圧操作器ユニットを一部断面して示す図である。
【図４】
図３のＡ−Ａ線断面図である。
【図５】
図１に示したガス遮断器に用いられる油圧操作器ユニットを下方から見た図である。
【図６】
図１に示したガス遮断器に用いられるロック機構の高圧配管継手部の構造を示す図である。
【図７】
図１に示したガス遮断器に用いられるロック機構を示す図である。
【符号の説明】
１０１…接地容器、１０２…固定接触子ユニット、１０３…可動接触子ユニット、106…可動接触子、１０７…絶縁操作ロッド、１０８…直線シールロッド、１０９…連結金具、１１０…油圧操作器、１１１…出力軸、１１１ａ…ロックナット、１１２…カバー板、１１３…取付金具、１１４…アキュムレータ、１１５…管路、１１６…マニホールド、
１１７，１１８…アキュムレータ固定金具、２０１…ポンプユニット、２０２，２０３…補助スイッチ、２１１…防振ゴム、２１２…高圧用配管、２１３…低圧用配管、２７０…ロック機構、２７１…高圧配管、２７２，２７３…継手、３０２…レバー、３０３…ワイヤー、３０４…入り切り表示器、３０５…動作カウンタ、５０１…ロック機構ピストン、５０２…皿ばね、５０３…取付ボルト。